(57)【要約】【課題】製造費用を節減することができるプラズマディスプレイパネルの駆動装置及び方法を提供すること。【解決手段】本発明のプラズマディスプレイパネルは、スキャン電極に駆動電圧を供給する集積回路72と、集積回路72にサステイン電圧を供給するためのエネルギー回収回路60と、セットアップ期間の間に集積回路72に上昇ランプ波形を供給するためのセットアップ供給部62と、セットダウン期間の間に集積回路72に下降ランプ波形を供給するためのセットダウン供給部67とを含む駆動装置を有するプラズマディスプレイパネルにおいて、前記駆動装置は、セットアップ供給部62とセットダウン供給部67との間に設置され、前記セットダウン期間の間に集積回路72に供給される電圧に対応して切り換えられるスイッチＱ6，Ｑ7を含むことを特徴とする。【選択図】図６
2004310108.tif 000002
【特許請求の範囲】
【請求項１】
スキャン電極に駆動電圧を供給する集積回路と、該集積回路にサステイン電圧を供給するためのエネルギー回収回路と、セットアップ期間の間に前記集積回路に上昇ランプ波形を供給するためのセットアップ供給部と、セットダウン期間の間に前記集積回路に下降ランプ波形を供給するためのセットダウン供給部とを含む駆動装置を有するプラズマディスプレイパネルにおいて、
前記駆動装置は、前記セットアップ供給部とセットダウン供給部との間に設置され、前記セットダウン期間の間に前記集積回路に供給される電圧に対応して切り換えられるスイッチを含むことを特徴とするプラズマディスプレイパネル。
【請求項２】
前記スイッチは、前記セットアップ期間と前記セットダウン期間の期間内でターン-オンされることを特徴とする請求項１に記載のプラズマディスプレイパネル。
【請求項３】
前記スイッチは、前記セットダウン期間に前記集積回路に供給される電圧がグランド電位になる直前にターン-オフされることを特徴とする請求項２に記載のプラズマディスプレイパネル。
【請求項４】
前記スイッチは、前記スイッチの両端の最大電圧差が、グランド電位から前記下降ランプ波形の最下電圧に設定されるように切り換えられることを特徴とする請求項１に記載のプラズマディスプレイパネル。
【請求項５】
前記駆動装置は、前記セットダウン期間の間に前記集積回路に供給される電圧に対応して、前記スイッチの切換状態を制御するためのスイッチ制御部を含むことを特徴とする請求項１に記載のプラズマディスプレイパネル。
【請求項６】
前記スイッチ制御部は、前記セットアップ期間と前記セットダウン期間との期間内で前記スイッチをターン-オンさせることを特徴とする請求項５に記載のプラズマディスプレイパネル。
【請求項７】
前記スイッチ制御部は、前記セットダウン期間に前記集積回路に供給される電圧がグランド電位になる直前に、前記スイッチをターン-オフさせることを特徴とする請求項６に記載のプラズマディスプレイパネル。
【請求項８】
前記スイッチ制御部は、前記スイッチの両端の最大電圧差が、グランド電位から前記下降ランプ波形の最下電圧に設定されるように、前記スイッチを切り換えさせることを特徴とする請求項５に記載のプラズマディスプレイパネル。
【請求項９】
前記スイッチ制御部は、前記集積回路に供給される電圧を感知するために、少なくとも２つ以上設置される分圧抵抗と、前記分圧抵抗で分圧された電圧値とおおよそグランド電位とを入力受けて前記スイッチを制御するための比較器とを含むことを特徴とする請求項５に記載のプラズマディスプレイパネル。
【請求項１０】
前記比較器は、前記分圧抵抗から入力された電圧値が前記グランド電位以上のときに前記スイッチをターン-オンさせ、その以外の場合には前記スイッチをターン-オフさせることを特徴とする請求項９に記載のプラズマディスプレイパネル。
【請求項１１】
前記駆動装置は、前記セットダウン期間の期間内で、前記スイッチの一端に下降ランプ波形を供給するグランド電圧供給部を含むことを特徴とする請求項１または５に記載のプラズマディスプレイパネル。
【請求項１２】
前記グランド電圧供給部は、前記セットダウン期間の始めにターン-オンされ、前記集積回路に供給される電圧がグランド電位になる直前にターン-オフされる可変抵抗スイッチを含むことを特徴とする請求項１１に記載のプラズマディスプレイパネル。
【請求項１３】
前記下降ランプ波形は、グランド電圧までの下降勾配とグランド電圧から最下電圧までの下降勾配とが同一又は異なる勾配を有することを特徴とする請求項１１に記載のプラズマディスプレイパネル。
【請求項１４】
スキャン電極に駆動電圧を供給する集積回路と、該集積回路にサステイン電圧を供給するためのエネルギー回収回路と、セットアップ期間の間に前記集積回路に上昇ランプ波形を供給するためのセットアップ供給部と、セットダウン期間の間に前記集積回路に下降ランプ波形を供給するためのセットダウン供給部とを含む駆動装置を有するプラズマディスプレイパネルにおいて、
前記駆動装置は、前記集積回路に並列に連結され、前記セットダウン期間の間に前記集積回路に供給される電圧に対応して切り換えられるスイッチを含むことを特徴とするプラズマディスプレイパネル。
【請求項１５】
前記スイッチは、前記セットアップ期間と前記セットダウン期間との期間内でターン-オンされることを特徴とする請求項１４に記載のプラズマディスプレイパネル。
【請求項１６】
前記スイッチは、前記セットダウン期間に前記集積回路に供給される電圧がグランド電位になる直前にターン-オフされることを特徴とする請求項１５に記載のプラズマディスプレイパネル。
【請求項１７】
前記スイッチは、前記スイッチの両端の最大電圧差が、グランド電位から前記下降ランプ波形の最下電圧に設定されるように切り換えられることを特徴とする請求項１４に記載のプラズマディスプレイパネル。
【請求項１８】
前記駆動装置は、前記セットダウン期間の間に前記集積回路に供給される電圧に対応して、前記スイッチの切換状態を制御するためのスイッチ制御部を含むことを特徴とする請求項１４に記載のプラズマディスプレイパネル。
【請求項１９】
前記スイッチ制御部は、前記セットアップ期間と前記セットダウン期間との期間内で前記スイッチをターン-オンさせることを特徴とする請求項１８に記載のプラズマディスプレイパネル。
【請求項２０】
前記スイッチ制御部は、前記セットダウン期間に前記集積回路に供給される電圧がグランド電位になる直前に前記スイッチをターン-オフさせることを特徴とする請求項１９に記載のプラズマディスプレイパネル。
【請求項２１】
前記スイッチ制御部は、前記スイッチの両端の最大電圧差が、グランド電位から前記下降ランプ波形の最下電圧に設定されるように、前記スイッチを切り換えさせることを特徴とする請求項１８に記載のプラズマディスプレイパネル。
【請求項２２】
前記スイッチ制御部は、前記集積回路に供給される電圧を感知するために少なくとも２つ以上設置される分圧抵抗と、前記分圧抵抗で分圧された電圧値とおおよそグランド電位とを入力受けて前記スイッチを制御するための比較器とを含むことを特徴とする請求項１８に記載のプラズマディスプレイパネル。
【請求項２３】
前記比較器は、前記分圧抵抗から入力された電圧値が前記グランド電位以上のときに前記スイッチをターン-オンさせ、その以外の場合には前記スイッチをターン-オフさせることを特徴とする請求項２２に記載のプラズマディスプレイパネル。
【請求項２４】
前記駆動装置は、前記セットダウン期間の一部期間の間に前記スイッチの一端に下降ランプ波形を供給するグランド電圧供給部を含むことを特徴とする請求項１４または１８に記載のプラズマディスプレイパネル。
【請求項２５】
前記グランド電圧供給部は、前記セットダウン期間の始めにターン-オンされ、前記集積回路に供給される電圧がグランド電位になる直前にターン-オフされる可変抵抗スイッチを含むことを特徴とする請求項２４に記載のプラズマディスプレイパネル。
【請求項２６】
前記下降ランプ波形は、グランド電圧までの下降勾配とグランド電圧から最下電圧までの下降勾配とが同一又は異なる勾配を有することを特徴とする請求項２４に記載のプラズマディスプレイパネル。
【請求項２７】
スキャン電極を駆動させるための集積回路と、該集積回路にサステイン電圧を供給するためのエネルギー回収回路と、セットアップ期間の間に前記集積回路に上昇ランプ波形を供給するためのセットアップ供給部と、セットダウン期間の間に前記集積回路に下降ランプ波形を供給するためのセットダウン供給部と、前記セットアップ供給部とセットダウン供給部との間に設置されるスイッチとを含む駆動装置を使用するプラズマディスプレイパネルの駆動方法において、
前記駆動方法は、
前記セットアップ期間の間に前記セットアップ供給部からスキャン電極に上昇ランプ波形を供給する段階と、
前記セットダウン期間の間に前記セットダウン供給部から前記スキャン電極に下降ランプ波形を供給する段階と、
前記セットアップ供給部及びセットダウン供給部の間に設置され、前記セットアップ期間及びセットダウン期間の間に前記スキャン電極に供給される電圧に対応して、スイッチのオンオフ動作を制御する段階と、
を含むことを特徴とするプラズマディスプレイパネルの駆動方法。
【請求項２８】
前記スイッチは、前記セットアップ期間の間にターン-オンされるとともに、前記セットダウン期間の期間内でターン-オンされることを特徴とする請求項２７に記載のプラズマディスプレイパネルの駆動方法。
【請求項２９】
前記スイッチは、前記下降ランプ波形の電圧がおおよそグランド電位未満に落ちるときにターン-オフされることを特徴とする請求項２７に記載のプラズマディスプレイパネルの駆動方法。
【発明の詳細な説明】
【技術分野】
【０００１】
本発明は、プラズマディスプレイパネルの駆動装置及び方法に関し、特に、製造費用を節減することができるようにしたプラズマディスプレイパネルの駆動装置及び方法に関する。
また、本発明は、プラズマディスプレイパネルに関し、特に、プラズマディスプレイパネルの駆動回路に使われるスイッチ素子の数を節減して、消費電力を下げることができるプラズマディスプレイパネルの駆動装置に関する。
【背景技術】
【０００２】
プラズマディスプレイパネル(Plasma Display Panel :以下"PDP"という。)は、Ｈe+Ｘe、又はＮe+Ｘeガスの放電時に発生する１４７nmの紫外線によって蛍光体を発光させることによって、文字またはグラフィックを含んだ画像を表示する。このようなPDPは、薄膜化と大型化とが容易だけでなく、最近の技術開発に負って大きく向上した画質を提供する。特に、交流型３電極面放電方式のPDPは、放電時の表面に蓄積された壁電荷を利用して放電に必要な電圧を下げるようになり、放電によって発生されるスパッタリングから電極を保護するため、低電圧駆動と長寿命の長所を有する。
【０００３】
図１は、従来の交流型３電極面放電方式のプラズマディスプレイパネルの放電セル構造を示す斜視図である。図１に示されるように、交流型３電極面放電方式のPDPの放電セルは、上部基板１０上に形成されたスキャン電極３０Ｙ及びサステイン電極３０Ｚと、下部基板１８上に形成されたアドレス電極２０Ｘとを備える。
【０００４】
スキャン電極３０Ｙとサステイン電極３０Ｚの各々は、透明電極１２Ｙ、１２Ｚと、透明電極１２Ｙ、１２Ｚの線幅より小さな線幅を有して透明電極の一端側に形成される金属バス電極１３Ｙ、１３Ｚとを含む。透明電極１２Ｙ、１２Ｚは、通常、インジウム−スズ−オキサイド (Indium-Tin-Oxide : ITO)として上部基板１０上に形成される。金属バス電極１３Ｙ、１３Ｚは、通常、クローム(Cr)などの金属として透明電極１２Ｙ、１２Ｚ上に形成され、抵抗が高い透明電極１２Ｙ、１２Ｚによる電圧降下を減らす役割をする。スキャン電極３０Ｙとサステイン電極３０Ｚとが形成された上部基板１０には、上部誘電体層１４と保護膜１６とが積層される。上部誘電体層１４にはプラズマ放電時に発生された壁電荷が蓄積される。保護膜１６は、プラズマ放電時に発生されたスパッタリングから上部誘電体層１４を保護し、２次電子の放出效率を高めるようになる。保護膜１６としては、通常、酸化マグネシウム(MgO)が利用される。
【０００５】
アドレス電極２０Ｘは、スキャン電極３０Ｙ及びサステイン電極３０Ｚと交差される方向に形成される。アドレス電極２０Ｘが形成された下部基板１８上には、下部誘電体層２２と隔壁２４とが形成される。下部誘電体層２２と隔壁２４の表面には蛍光体層２６が形成される。隔壁２４はアドレス電極２０Ｘと並んで形成され、放電セルを物理的に区分し、放電によって生成された紫外線と可視光線が接した放電セルに漏洩されることを防止する。蛍光体層２６は、プラズマ放電時に発生された紫外線によって励起キ発光され、赤色、緑色または青色のいずれかの一つの可視光線を発生するようになる。上/下部基板１０、１８と隔壁２４との間に設けられた放電セルの放電空間には、放電のためのＨe+Ｘe、またはＮe+Ｘeなどの不活性混合ガスが注入される。
【０００６】
このような３電極交流面放電型PDPは、画像の階調を表示するため、一つのフレームを発光回数が異なる多数のサブフィールドに分けて駆動している。各サブフィールドは、再び放電を均一に起こすためのリセット期間と、放電セルを選択するためのアドレス期間と、放電回数によって階調を表示するサステイン期間とに分けられる。
【０００７】
図２は、従来のプラズマディスプレイパネルの一つのフレームを示す図面である。図２に示されるように、２５６階調として画像を表示しようとする場合に、１/６０秒に当たるフレーム期間(１６．６７ms)は、８個のサブフィールドSF１〜SF８に分けられるようになる。８個のサブフィールドSF１〜SF８の各々は、再び、リセット期間と、アドレス期間と、サステイン期間とに分けられる。各サブフィールドのリセット期間及びアドレス期間は、各サブフィールド毎に同一であって、反面、サステイン期間及びその放電回数は、各サブフィールドにおいて２n(ただ、 n=０、１、２、３、４、５、６、７)の割合で増加される。このように各サブフィールドにおいてサステイン期間が変わるようになるため、画像の階調を表示することができるようになる。
【０００８】
このようなPDPの駆動方法は、アドレス放電によって選択される放電セルが発光するか否かによって選択的書き込み(Selective writing)方式と選択的消去(Selective erasing)方式とに大別される。
【０００９】
選択的書き込み方式は、リセット期間に全画面を消した後、アドレス期間に選択された放電セルをつけるようになる。サステイン期間にはアドレス放電によって選択された放電セルの放電を維持させることによって画像を表示するようになる。
【００１０】
このような選択的書き込み方式では、スキャンパルスの幅を比較的広く(例えば、３μs)設定して放電セル内に十分な壁電荷が形成されるようにする。しかし、スキャンパルスの幅を広く設定すると、アドレス期間が広く設定され、輝度に寄与するサステイン期間が相対的に狭く設定される問題点がある。
【００１１】
選択的消去方式は、リセット期間に全画面を書き込み放電させて全画面をつけた後、アドレス期間に選択された放電セルを消すようになる。次に、サステイン期間にはアドレス放電によって選択されない放電セルのみをサステイン放電させることによって、画像を表示するようになる。
【００１２】
このような選択的消去方式では、スキャンパルスの幅を比較的狭く(例えば１μs)設定して放電セル内で消去放電を起こすようにする。つまり、選択的消去方式では、狭い幅を有するスキャンパルスを印加することによって、アドレス期間を短く設定することができるし、これに従って輝度に寄与するサステイン期間に比較的多い時間を割り当てることができる。しかし、選択的消去方式は、非表示期間のリセット期間に全画面が駆動されるため、コントラストが低い。
【００１３】
このような選択的書き込み及び消去方式の欠点を克服するために、選択的書き込み及び選択的消去方式を組み合わせた方法が提案された。
【００１４】
図３は、一つのフレームに選択的書き込み及び選択的消去方式のサブフィールドが含まれている従来の他の実施形態によるプラズマディスプレイパネルの一つのフレームを示す図面である。図３に示されるように、一つのフレームは、少なくとも１以上のサブフィールドを含む選択的書き込みサブフィールドWSFと、少なくとも１以上のサブフィールドを含む選択的消去サブフィールドESFとを含む。
【００１５】
選択的書き込みサブフィールドWSFは、m(ただ、mは、０より大きい正の整数)本のサブフィールドSF１〜SFmを含む。m番目のサブフィールドSFmを除いた第１〜 第 (m-１)サブフィールドSF１〜SFm-１の各々は、全画面のセルに一定量の壁電荷を均一に形成するためのリセット期間と、書き込み放電を利用してオン-セル(on-cells)を選択する選択的書き込みアドレス期間(以下、書き込みアドレス期間)と、選択されたオン-セルに対してサステイン放電を起こすサステイン期間と、サステイン放電後セルの内の壁電荷を消去させるための消去期間とに分けられる。
【００１６】
選択的書き込みサブフィールドWSFの最後のサブフィールドの第mサブフィールドSFmは、リセット期間と、書き込みアドレス期間と、サステイン期間とに分けられる。選択的書き込みサブフィールドWSFのリセット期間、書き込みアドレス期間、および消去期間は、各サブフィールドSF１〜SFm毎に同一であって、反面、サステイン期間は、予め設定された輝度の加重値が同一か異なるように設定することができる。
【００１７】
選択的消去サブフィールドESFは、n-m(ただ、nは、mより大きい正の整数)本のサブフィールドSFm+１〜SFnを含む。第(m+１)〜第nサブフィールドSFm+１〜SFnの各々は、消去放電を利用してオフ-セル(off-cell)を選択するための選択的消去アドレス期間(以下、"消去アドレス期間"という。)と、オン-セルに対してサステイン放電を起こすためのサステイン期間とに分けられる。選択的消去サブフィールドESFのOLE#LINK1サブフィールドOLE#LINK1SFm+１〜SFnにおいて消去アドレス期間は同一に設定され、サステイン期間は輝度の相対比によって異なって設定される。
【００１８】
このような図３に示された駆動方法においては、m本のサブフィールドを選択的書き込み方式に駆動し、(n-m)本のサブフィールドを選択的消去方式に駆動することによって、アドレス期間を短く設定すると共に、コントラストを向上させることができる。言い換えれば、一つのフレームが短いスキャンパルスを有する選択的消去サブフィールドを含むことによって十分なサステイン期間を確保することができる。そして、一つのフレームがリセット期間を含まない選択的消去サブフィールドを含むことによってコントラストを向上させることができる。
【００１９】
図４は、図３に示されたプラズマディスプレイパネルの駆動方法によって駆動波形を供給するためのスキャン駆動装置を示す図面である。
【００２０】
図４に示されるように、従来のPDPのスキャン駆動装置は、エネルギー回収回路４０と、ドライブ集積回路５２と、セットアップ供給部４２と、セットダウン供給部４７と、第１及び第２の負極性スキャン電圧供給部４６、４８と、スキャン基準電圧供給部５０と、セットアップ供給部４２とドライブ集積回路５２との間に接続される第７スイッチＱ７と、セットアップ供給部４２とエネルギー回収回路４０との間に接続される第６スイッチＱ６とを備える。
【００２１】
ドライブ集積回路５２は、プッシュプル形態に接続され、エネルギー回収回路４０と、セットアップ供給部４２と、セットダウン供給部４７と、第１及び第２負極性スキャン電圧供給部４６、４８と、スキャン基準電圧供給部５０から電圧信号が入力される第１４及び第１５スイッチＱ１４、Ｑ１５とから構成される。第１４と第１５スイッチＱ１４、Ｑ１５の間の出力ラインは、スキャン電極ラインのいずれかの一つに接続される。
【００２２】
エネルギー回収回路４０は、スキャン電極ラインＹ１〜Ｙmから回収されるエネルギーを充電するための外部キャパシタＣ１と、外部キャパシタＣ１とドライブ集積回路５２の間に接続されるインダクターＬ１と、インダクターＬ１と外部キャパシタＣ１の間に並列に接続される第１スイッチＱ１と、第１ダイオードＤ１と、第２ダイオードＤ２と、第２スイッチＱ２とを備える。
【００２３】
このようなエネルギー回収回路４０の動作過程を説明すれば、下記の通りである。先に、外部キャパシタＣ１にはＶs/２電圧が充電されていると仮定する。第１スイッチＱ１がターン-オンされると、外部キャパシタＣ１に充電された電圧は、第１スイッチＱ１と、第１ダイオードＤ１と、インダクターＬと、第６スイッチＱ６の内部ダイオード及び第７スイッチＱ７とを経ってドライブ集積回路５２に供給され、ドライブ集積回路５２は供給された電圧をスキャン電極ラインＹ１〜Ｙmに供給する。このとき、インダクターＬ１はPDP放電セルの靜電容量Ｃと共に直列ＬＣ共振回路を構成するようになるため、スキャン電極ラインＹ１〜ＹmにはＶsの電圧が供給される。
【００２４】
以後、第３スイッチＱ３がターン-オンされる。第３スイッチＱ３がターン-オンされると、サステイン電圧Ｖsが第６スイッチＱ６の内部ダイオード、第７スイッチＱ７を経ってドライブ集積回路５２に供給される。ドライブ集積回路５２は供給されたサステイン電圧をスキャン電極ラインＹ１〜Ｙmに供給する。サステイン電圧Ｖsによってスキャン電極ラインＹ１〜Ｙm上の電圧レベルはサステイン電圧Ｖsを維持し、これによって放電セルからサステイン放電が生じるようになる。
【００２５】
放電セルからサステイン放電が生じた後に第２スイッチＱ２がターン-オンされる。第２スイッチＱ２がターン-オンされると、スキャン電極ラインＹ１〜Ｙmと、ドライブ集積回路５２と、第７スイッチＱ７の内部ダイオードと、第６スイッチＱ６と、インダクターＬ１と、第２ダイオードＤ２及び第２スイッチＱ２とを経って無效電力がキャパシタＣ１に回収される。つまり、外部キャパシタＣ１にPDPからのエネルギーが回収される。次に、第４スイッチＱ４がターン-オンされ、スキャン電極ラインＹ１〜Ｙm上の電圧をグランド電位（アース電位）ＧＮＤで維持する。
【００２６】
このように、エネルギー回収回路４０はPDPからエネルギーを回収した後、回収されたエネルギーを利用してスキャン電極ラインＹ１〜Ｙm上に電圧を供給することによって、セットアップ期間とサステイン期間との放電時に過度の消費電力を減らすことができるようになる。
【００２７】
第１負極性スキャン電圧供給部４６は、第２ノードn２と書き込みスキャン電圧源-Ｖwとの間に接続された第１１スイッチＱ１１を備える。第１１スイッチＱ１１は、選択的書き込みサブフィールドWSFのアドレス期間の間にタイミングコントローラ(図示せず）から供給される制御信号に応答して切り換えることによって、書き込みスキャン電圧-Ｖwをドライブ集積回路５２に供給する。
【００２８】
第２負極性スキャン電圧供給部４８は、第２ノードn２と消去スキャン電圧源-Ｖeとの間に接続される第１２及び第１３のスイッチＱ１２、Ｑ１３を備える。第１２及び第１３のスイッチＱ１２、Ｑ１３は、選択的消去サブフィールドESFのアドレス期間の間にタイミングコントローラ(図示せず）から供給される制御信号に応答して切り換えることによって、消去スキャン電圧-Ｖeをドライブ集積回路５２に供給する。
【００２９】
スキャン基準電圧供給部５０は、基準電圧源Ｖscと第２ノードn２の間に接続される第３キャパシタＣ３と、基準電圧源Ｖscと第２ノードn２の間に接続される第８スイッチＱ８と、第９スイッチＱ９とを備える。第８スイッチＱ８及び第９スイッチＱ９は、選択的書き込み及び消去アドレス期間の間にタイミングコントローラから供給される制御信号によって切り換えながら、基準電圧源Ｖscの電圧をドライブ集積回路５２に供給する。第３キャパシタＣ３は、第２ノードn２に印加される電圧と基準電圧源Ｖscの電圧値とを合わせて第８スイッチＱ８に供給する。
【００３０】
セットダウン供給部４７は、第２ノードn２と書き込みスキャン電圧-Ｖwとの間に接続される第１０スイッチＱ１０を備える。セットダウン供給部４７は、選択的書き込みサブフィールドWSFのリセット期間に含まれるセットダウン期間の間に、ドライブ集積回路５２に供給される電圧を書き込みスキャン電圧-Ｖwまでの勾配で徐々に下降させる。(ここで、書き込みスキャン電圧-Ｖwがセットダウン電圧源で利用される。)
セットアップ供給部４２は、セットアップ電圧源Ｖstと第１ノードn１との間に接続された第１ダイオードＤ１及び第５スイッチＱ５と、セットアップ電圧源Ｖstとエネルギー回収回路４０との間に設置される第２キャパシタＣ２とを備える。第１ダイオードＤ１は、第２キャパシタＣ２からセットアップ電圧源Ｖstの方に流れる逆方向電流を遮断する。第２キャパシタＣ２は、エネルギー回収回路４０から供給されるサステイン電圧Ｖsとセットアップ電圧源Ｖstの電圧値とを合わせて第５スイッチＱ５に供給する。第５スイッチＱ５は、選択的書き込みサブフィールドWSFのリセット期間の間に制御信号(図示せず）に応答して切り換えることによって、セットアップ電圧を第１ノードn１に供給する。
【００３１】
図５は、リセット期間に上昇ランプ波形及び下降ランプ波形を生成するための従来のスキャン駆動装置において、スイッチングの動作過程を示すタイミング図である。リセット期間の間にセットアップ及びセットダウン電圧が生成される過程を、図５を参照して詳細に説明する。
【００３２】
図５において、第２キャパシタＣ２にはセットアップ電圧源Ｖstの電圧が充電されていると仮定する。そして、第５スイッチＱ５のターン-オン時点において、エネルギー回収回路４０から第１ノード点n１にサステイン電圧Ｖsが供給されると仮定する。
【００３３】
図５を参照すれば、先に、セットアップ期間の間に第５スイッチＱ５及び第７スイッチＱ７がターン-オンする。このとき、エネルギー回収回路４０からサステイン電圧Ｖsが供給される。エネルギー回収回路４０から供給されたサステイン電圧Ｖsは、第６スイッチＱ６の内部ダイオードと、第７スイッチＱ７及びドライブ集積回路５２とを経ってスキャン電極ラインＹ１〜Ｙmに供給される。従って、スキャン電極ラインＹ１〜Ｙmの電圧は、Ｖsに急激に上昇する。
【００３４】
一方、第２キャパシタＣ２の負極性端子にＶsの電圧が供給されるため、第２キャパシタＣ２はＶs+Ｖstの電圧を第５スイッチＱ５に供給する。第５スイッチＱ５は前端に設置された第１可変抵抗ＶR１によってチャンネル幅が調節されながら、第２キャパシタＣ２から供給される電圧を所定の勾配で第１ノード点n１に供給する。第１ノード点n１に所定の勾配で印加される電圧は、第７スイッチＱ７及びドライブ集積回路５２を経ってスキャン電極ラインＹ１〜Ｙmに供給される。このとき、スキャン電極ラインＹ１〜Ｙmに上昇ランプ波形が供給される。
【００３５】
スキャン電極ラインＹ１〜Ｙmに上昇ランプ波形が供給された後、第５スイッチＱ５はターン-オフされる。第５スイッチＱ５がターン-オフされると、エネルギー回収回路４０から供給されるＶsの電圧だけが第１ノ−ド点n１に印加され、これによってスキャン電極ラインＹ１〜Ｙmの電圧はＶsに急激に下降する。
以後、セットダウン期間に第７スイッチＱ７がターン-オフされるとともに、第１０スイッチＱ１０がターン-オンされる。第１０スイッチＱ１０は前端に設置された第２可変抵抗ＶＲ２によってチャンネル幅が調節されながら、第２ノードn２の電圧を書き込みスキャン電圧-Ｖw(または、セットダウン電圧源)に所定の勾配で下降させる。このとき、スキャン電極ラインＹ１〜Ｙmに下降ランプ波形が供給される。
【００３６】
セットアップ供給部４２及びセットダウン供給部４７は、このような過程を繰り返しながらリセット期間の間にスキャン電極ラインＹ１〜Ｙmに上昇ランプ波形及び下降ランプ波形を供給する。しかし、このような従来の駆動装置では、第１ノードn１及び第２ノードn２の各々に印加される電圧の電圧差が大きく発生されるため、高い内圧を有する第７スイッチＱ７を利用することによって製造費用が上昇するという問題点がある。
【００３７】
ここで、第７スイッチＱ７は、第６スイッチＱ６と互いに異なる方向の内部ダイオードを備え、第２ノードn２に印加される電圧が第６スイッチＱ６の内部ダイオード及び第４スイッチＱ４の内部ダイオードを経ってグランド電位ＧＮＤに供給されることを防止する。一方、セットダウン期間の間に第１ノードn１にはＶsの電圧が印加され、第２ノードn２には書き込みスキャン電圧-Ｖwが印加される。ここで、Ｖsの電圧がおおよそ１８０Ｖに設定されて書き込みスキャン電圧-Ｖwが−７０Ｖに設定されたら、第７スイッチＱ７は、約２５０Ｖ(実際の駆動電圧マージンを考慮して３００Ｖ)程度の内圧を持たなければならない。すなわち、従来では、第７スイッチＱ７において高い内圧を有するスイッチング素子を設置しなければならないため製造費用が上昇するという問題点がある。
【００３８】
また、第６スイッチＱ６及び第７スイッチＱ７には、リセット電圧及びサステイン電圧が通過するようになってセットアップ波形を印加するリセット電圧以上の高内圧のスイッチではなければならないため、電界効果トランジスタ(以下'FET'という。)を５個ずつ使って総１０個のFETが回路保護用で用いられる。これによって多数のFETを使うことによる費用が上昇すると共に、エネルギー損失がたくさん発生する短所が生じることになる。
【発明の開示】
【発明が解決しようとする課題】
【００３９】
本発明の目的は、製造費用を節減することができるようにしたプラズマディスプレイパネルの駆動装置及び方法を提供することにある。
本発明を修正した他の目的は、スイッチ素子の数を減らすとともにエネルギー損失を減らすようにしたプラズマディスプレイパネルの駆動装置を提供することにある。
【課題を解決するための手段】
【００４０】
本発明によるプラズマディスプレイパネルは、スキャン電極に駆動電圧を供給する集積回路と、該集積回路にサステイン電圧を供給するためのエネルギー回収回路と、セットアップ期間の間に前記集積回路に上昇ランプ波形を供給するためのセットアップ供給部と、セットダウン期間の間に前記集積回路に下降ランプ波形を供給するためのセットダウン供給部とを含む駆動装置を有するプラズマディスプレイパネルにおいて、前記駆動装置は、前記セットアップ供給部とセットダウン供給部との間に設置され、前記セットダウン期間の間に前記集積回路に供給される電圧に対応して切り換えられるスイッチを含むことを特徴とする。
【００４１】
本発明によるプラズマディスプレイパネルは、スキャン電極に駆動電圧を供給する集積回路と、該集積回路にサステイン電圧を供給するためのエネルギー回収回路と、セットアップ期間の間に前記集積回路に上昇ランプ波形を供給するためのセットアップ供給部と、セットダウン期間の間に前記集積回路に下降ランプ波形を供給するためのセットダウン供給部とを含む駆動装置を有するプラズマディスプレイパネルにおいて、前記駆動装置は、前記集積回路に並列に連結され、前記セットダウン期間の間に前記集積回路に供給される電圧に対応して切り換えられるスイッチを含むことを特徴とする。
【００４２】
本発明によるプラズマディスプレイ駆動方法は、スキャン電極を駆動させるための集積回路と、該集積回路にサステイン電圧を供給するためのエネルギー回収回路と、セットアップ期間の間に前記集積回路に上昇ランプ波形を供給するためのセットアップ供給部と、セットダウン期間の間に前記集積回路に下降ランプ波形を供給するためのセットダウン供給部と、前記セットアップ供給部とセットダウン供給部との間に設置されるスイッチとを含む駆動装置を使うプラズマディスプレイパネルの駆動方法において、前記セットアップ期間の間に、前記セットアップ供給部からスキャン電極に上昇ランプ波形を供給する段階と、前記セットダウン期間の間に、前記セットダウン供給部から前記スキャン電極に下降ランプ波形を供給する段階と、前記セットアップ供給部とセットダウン供給部との間に設置され、前記セットアップ期間及びセットダウン期間の間に前記スキャン電極に供給される電圧に対応して、スイッチのオンオフ動作を制御する段階とを含むことを特徴とする。
【発明の効果】
【００４３】
本発明によるプラズマディスプレイパネルの駆動装置及び方法によると、リセット期間の間にエネルギー回収回路とドライブ集積回路との間に設置されたスイッチの両端電圧を同時に下降させることによって、低い内圧を有するスイッチを使うことができるし、これによって製造費用を節減することができる。
本発明によるプラズマディスプレイパネルの駆動装置は、サブフィールドのそれぞれに供給されるスキャン電圧を供給するために、エネルギー回収装置とドライバーIＣとの間のセットアップ駆動部とドライバーIＣとの接続方法を変換させることによって、PDP駆動に必要な駆動素子の数を減らすことができるようになる。
【発明を実施するための最良の形態】
【００４４】
本発明の最良の実施形態に関して図面を参照して詳細に説明する。
<第１実施形態>
図６は、本発明の第１実施形態によるプラズマディスプレイパネルのスキャン駆動装置を示す図面である。
【００４５】
図６に示されるように、本発明の第１実施形態によるPDPのスキャン駆動装置は、エネルギー回収回路６０と、ドライブ集積回路７２と、セットアップ供給部６２と、セットダウン供給部６７と、第１及び第２の負極性スキャン電圧供給部６６、６８と、スキャン基準電圧供給部７０と、セットアップ供給部６２とドライブ集積回路７２との間に接続される第７スイッチＱ７と、セットアップ供給部６２とエネルギー回収回路６０との間に接続される第６スイッチＱ６と、タイミングコントローラ(図示せず）とを備える。
【００４６】
ドライブ集積回路７２は、プッシュプル形態に接続され、エネルギー回収回路６０と、セットアップ供給部６２と、セットダウン供給部６７と、第１及び第２負極性スキャン電圧供給部６６、６８及びスキャン基準電圧供給部７０から電圧信号が入力される第１４及び第１５スイッチＱ１４、Ｑ１５とから構成される。第１４及び第１５スイッチＱ１４、Ｑ１５の間の出力ラインは、スキャン電極ラインのいずれかの一つに接続される。
【００４７】
エネルギー回収回路６０は、スキャン電極ラインＹ１〜Ｙmから回収されるエネルギーを充電するための外部キャパシタＣ１と、外部キャパシタＣ１とドライブ集積回路７２との間に接続されるインダクターＬ１と、インダクターＬ１と外部キャパシタＣ１との間に並列に接続される第１スイッチＱ１と、第１ダイオードＤ１と、第２ダイオードＤ２及び第２スイッチＱ２とを備える。
【００４８】
このようなエネルギー回収回路６０の動作過程を説明すれば、下記の通りである。先に、外部キャパシタＣ１にはＶs/２電圧が充電されていると仮定する。第１スイッチＱ１がターン-オンすると、外部キャパシタＣ１に充電された電圧は、第１スイッチＱ１と、第１ダイオードＤ１と、インダクターＬと、第６スイッチＱ６の内部ダイオード及び第７スイッチＱ７とを経ってドライブ集積回路５２に供給され、ドライブ集積回路７２は供給された電圧をスキャン電極ラインＹ１〜Ｙmに供給する。このとき、インダクターＬ１はPDP放電セルの靜電容量Ｃと共に直列ＬＣ共振回路を構成するようになるため、スキャン電極ラインＹ１〜ＹmにはＶsの電圧が供給される。
【００４９】
以後、第３スイッチＱ３がターン-オンされる。第３スイッチＱ３がターン-オンされると、サステイン電圧Ｖsが第６スイッチＱ６の内部ダイオードと、第７スイッチＱ７とを経ってドライブ集積回路７２に供給される。ドライブ集積回路７２は供給されたサステイン電圧をスキャン電極ラインＹ１〜Ｙmに供給する。サステイン電圧Ｖsによって、スキャン電極ラインＹ１〜Ｙm上の電圧レベルはサステイン電圧Ｖsを維持して、これによって放電セルからサステイン放電が生じるようになる。
【００５０】
放電セルからサステイン放電が生じた後、第２スイッチＱ２がターン-オンされる。第２スイッチＱ２がターン-オンされると、スキャン電極ラインＹ１〜Ｙm、ドライブ集積回路７２、第７スイッチＱ７の内部ダイオード、第６スイッチＱ６、インダクターＬ１、第２ダイオードＤ２及び第２スイッチＱ２を経って無效電力の以外に外部キャパシタＣ１に回収される。すなわち、外部キャパシタＣ１にPDPからのエネルギーが回収される。次に、第４スイッチＱ４がターン-オンされ、スキャン電極ラインＹ１〜Ｙm上の電圧をグランド電位ＧＮＤで維持する。
【００５１】
このようにエネルギー回収回路６０は、PDPからエネルギーを回収した後、回収されたエネルギーを利用してスキャン電極ラインＹ１〜Ｙm上に電圧を供給することによって、セットアップ期間とサステイン期間との放電時に過度な消費電力を減らすようになる。
【００５２】
第１負極性スキャン電圧供給部６６は、第２ノードn２と書き込みスキャン電圧源-Ｖwとの間に接続された第１１スイッチＱ１１を備える。第１１スイッチＱ１１は、選択的書き込みサブフィールドWSFのアドレス期間の間にタイミングコントローラ(図示せず）から供給される制御信号に応答して切り換えることによって、書き込みスキャン電圧-Ｖwをドライブ集積回路７２に供給する。
【００５３】
第２負極性スキャン電圧供給部６８は、第２ノードn２と消去スキャン電圧源-Ｖeとの間に接続される第１２及び第１３スイッチＱ１２、Ｑ１３を備える。第１２及び第１３スイッチＱ１２、Ｑ１３は、選択的消去サブフィールドESFのアドレス期間の間にタイミングコントローラ(図示せず）から供給される制御信号に応答して切り換えることによって、消去スキャン電圧-Ｖeをドライブ集積回路７２に供給する。
【００５４】
スキャン基準電圧供給部７０は、基準電圧源Ｖscと第２ノードn２との間に接続される第３キャパシタＣ３と、基準電圧源Ｖscと第２ノードn２との間に接続される第８スイッチＱ８及び第９スイッチＱ９とを備える。第８スイッチＱ８及び第９スイッチＱ９は、選択的書き込み及び消去アドレス期間の間にタイミングコントローラから供給される制御信号によって切り換えながら基準電圧源Ｖscの電圧をドライブ集積回路７２に供給する。第３キャパシタＣ３は、第２ノードn２に印加される電圧と基準電圧源Ｖscの電圧値とを合わせて第８スイッチＱ８に供給する。第２ダイオードＤ２は、第３キャパシタＣ２に印加される電圧が基準電圧源Ｖscの方に供給されることを防止する。
【００５５】
セットダウン供給部６７は、第２ノードn２と書き込みスキャン電圧-Ｖwとの間に接続される第１０スイッチＱ１０を備える。セットダウン供給部６７は、選択的書き込みサブフィールドWSFのリセット期間に含まれるセットダウン期間の間にドライブ集積回路７２に供給される電圧を書き込みスキャン電圧-Ｖwまでの勾配で徐々に下降させる(ここで、書き込みスキャン電圧-Ｖwがセットダウン電圧源に利用される。)。
【００５６】
セットアップ供給部６２は、セットアップ電圧源Ｖstと第１ノードn１との間に接続された第１ダイオードＤ１及び第５スイッチＱ５と、セットアップ電圧源Ｖstとエネルギー回収回路６０との間に設置される第２キャパシタＣ２とを備える。第１ダイオードＤ１は、第２キャパシタＣ２からセットアップ電圧源Ｖstの方に流れる逆方向電流を遮断する。第２キャパシタＣ２はエネルギー回収回路６０から供給されるサステイン電圧Ｖsとセットアップ電圧源Ｖstの電圧値とを合わせて第５スイッチＱ５に供給する。第５スイッチＱ５は、選択的書き込みサブフィールドWSFのリセット期間の間に制御信号(図示せず）に応答して切り換えることによって、セットアップ電圧を第１ノードn１に供給する。
【００５７】
図７は、リセット期間に上昇ランプ波形及び下降ランプ波形を生成するための本発明の第１実施形態によるスイッチング動作過程を示すタイミング図である。
先に、第２キャパシタＣ２にはセットアップ電圧源Ｖstの電圧が充電され、第５スイッチＱ５のターン-オ時点でエネルギー回収回路６０から第１ノ−ド点n１にサステイン電圧Ｖsが供給されると仮定する。
【００５８】
図７を参照すれば、先に、セットアップ期間の間に第５スイッチＱ５及び第７スイッチＱ７がターン-オンされる。このとき、エネルギー回収回路６０からサステイン電圧Ｖsが供給される。エネルギー回収回路６０から供給されたサステイン電圧Ｖsは、第６スイッチＱ６の内部ダイオード、第７スイッチＱ７及びドライブ集積回路７２を経ってスキャン電極ラインＹ１〜Ｙmに供給される。従って、スキャン電極ラインＹ１〜Ｙmの電圧はＶsに急激に上昇される。
【００５９】
一方、第２キャパシタＣ２の負極性端子にＶsの電圧が供給されるため、第２キャパシタＣ２はＶs+Ｖstの電圧を第５スイッチＱ５に供給する。第５スイッチＱ５は前端に設置された第１可変抵抗ＶＲ１によってチャンネル幅が調節されながら、第２キャパシタＣ２から供給される電圧を所定の勾配で第１ノ−ド点n１に供給する。第１ノ−ド点n１に所定の勾配で印加される電圧は、第７スイッチＱ７及びドライブ集積回路７２を経ってスキャン電極ラインＹ１〜Ｙmに供給される。このとき、スキャン電極ラインＹ１〜Ｙmに上昇ランプ波形が供給される。
【００６０】
スキャン電極ラインＹ１〜Ｙmに上昇ランプ波形が供給された後、第５スイッチＱ５はターン-オフされると共に第６スイッチＱ６がターン-オンする。第６スイッチＱ６がターン-オンされると、第１ノ−ド点n１にエネルギー回収回路６０から供給されるＶsの電圧が印加される。このとき、スキャン電極ラインＹ１〜Ｙmの電圧はＶsに急激に下降する。
【００６１】
以後、セットダウン期間に第６スイッチＱ６がターン-オフされると共に、第１０スイッチＱ１０がターン-オンする。そして、セットダウン期間の一部期間、例えば、第２ノードn２がおおよそグランド電位ＧＮＤ以上の電圧を有するまで第７スイッチＱ７はターン-オン状態を維持する。これは、図６にタイミングコントローラ(図示せず）の制御によって行われる。そして、セットダウン期間にエネルギー回収回路６０はＶsの電圧を供給しない。
【００６２】
第１０スイッチＱ１０は、前端に設置された第２可変抵抗ＶＲ２によってチャンネル幅が調節されながら第２ノードn２の電圧をスキャン電圧-Ｖw(または、セットダウン電圧源)に所定の勾配で下降させる。このとき、スキャン電極ラインＹ１〜Ｙmに下降ランプ波形が供給される。ここで、第７スイッチＱ７がターン-オン状態を維持するため第１ノードn１の電圧は第２ノードn２の電圧と同一に維持される。
【００６３】
以後、第２ノードn２の電圧がおおよそグランド電位ＧＮＤを有するとき、タイミングコントローラは第７スイッチＱ７をターン-オフさせる。従って、第１ノードn１はグランド電位ＧＮＤを維持して、第２ノードn２はスキャン電圧-Ｖw(または、セットダウン電圧源)に下降される。
【００６４】
実際に、リセット期間の間にセットアップ供給部６２と、セットダウン供給部６７及びタイミングコントローラは、前記のような過程を繰り返しながらスキャン電極ラインＹ１〜Ｙmに上昇ランプ波形及び下降ランプ波形を供給する。一方、本発明では、低い内圧を有する第７スイッチＱ７を利用することができる。 言い換えれば、リセット期間の間に第１ノードn１及び第２ノードn２の最大電圧差が-Ｖw(例えば、-７０Ｖ)に設定されるため、低い内圧を有するスイッチを利用して第７スイッチＱ７を構成することができるし、これによって製造費用を節減することができる。
【００６５】
図８は、本発明の第１実施形態の他の形態によるプラズマディスプレイパネルのスキャン駆動装置を示す図面である。
図８に示されるように、本発明の第１実施形態の他の形態によるプラズマディスプレイパネルのスキャン駆動装置は、図６に示されたスキャン駆動装置において、第７スイッチＱ７を制御するためのスイッチ制御部６４をさらに備える。
【００６６】
スイッチ制御部６４は、リセット期間の間に第２ノ−ド点n２に印加される電位に対応して第７スイッチＱ７を制御する。言い換えれば、スイッチ制御部６４は、リセット期間の間に第２ノ−ド点n２におおよそグランド電位ＧＮＤが印加されるまで、第７スイッチＱ７のターン-オン状態を維持する。スイッチのオンオフ動作のタイミング図は、図７のようである。
【００６７】
すなわち、セットダウン期間内の一部期間において、前記スイッチ制御部６４は第２ノードn２の電位をチェックして第２ノードn２の電位がグランド電位ＧＮＤ以上の電圧を有する時第７スイッチＱ７をターン-オン状態で維持して、第２ノードn２の電位がグランド電位ＧＮＤ未満の電圧を有するとき、第７スイッチＱ７をターン-オフさせる。
【００６８】
従って、低い内圧を有する第７スイッチＱ７を利用することができる。つまり、リセット期間の間に第１ノードn１及び第２ノードn２の最大電圧差が-Ｖw(例えば、-７０Ｖ)に設定されるため、低い内圧を有するスイッチを利用して第７スイッチＱ７を構成することができるし、これによって製造費用を節減することができる。
【００６９】
図９は、スイッチ制御部の詳細構成を示す図面である。
図９に示されるように、スイッチ制御部６４は、第２ノードn２とグランド電圧源ＧＮＤとの間に直列に設置される第１〜第３分圧抵抗Ｒ１〜Ｒ３と、第２分圧抵抗Ｒ３とグランド電圧源ＧＮＤとの間に第３分圧抵抗Ｒ３と並列に設置されるツェナーダイオードＺＤと、基準電圧源Ｖccとグランド電圧源ＧＮＤとの間に直列に設置される第４及び第５分圧抵抗Ｒ４、Ｒ５と、第３分圧抵抗Ｒ３及び第５分圧抵抗Ｒ５に印加される電圧を比べて制御信号を生成するための比較器７４とを備える。
【００７０】
第１〜第３分圧抵抗Ｒ１〜Ｒ３は、第２ノードn２の電圧を分圧する。ツェナーダイオードＺＤは、第３分圧抵抗Ｒ３に負極性の電圧が印加されたとき、比較器７４に所定の正格電圧が印加されるようにする。第４及び第５分圧抵抗Ｒ４、Ｒ５は、基準電圧源Ｖccの電圧を分圧する。ここで、第４及び第５分圧抵抗Ｒ４、Ｒ５の抵抗値は、第５分圧抵抗Ｒ５におおよそグランド電位ＧＮＤの電圧が印加されるように設定される。
【００７１】
比較器７４は、第３分圧抵抗Ｒ３及び第５分圧抵抗Ｒ５に印加される電圧値をチェックして第７スイッチＱ７を制御する。ここで、比較器７４は、第３分圧抵抗Ｒ３に印加される電圧が第５分圧抵抗Ｒ５に印加される電圧値より高い電圧値を有するとき第７スイッチＱ７をターン-オンさせ、第３分圧抵抗Ｒ３に印加される電圧が第５分圧抵抗Ｒ５に印加される電圧値より低い電圧値を有するとき第７スイッチＱ７をターン-オフさせる。
【００７２】
動作過程を説明すれば、先に第２ノ−ド点n２に正極性の電圧が印加される場合、第３分圧抵抗Ｒ３に正極性の電圧が誘導される。このとき、第５分圧抵抗Ｒ５に印加される電圧より第３分圧抵抗Ｒ３に印加される電圧が高く設定されるため、比較器７４は第７スイッチＱ７のターン-オン状態を維持する。以後、第２ノ−ド点n２に負極性の電圧が印加される場合、第３分圧抵抗Ｒ３には所定の負極性の電圧が誘導される。このとき、第５分圧抵抗Ｒ５に印加される電圧が第３分圧抵抗Ｒ３に印加される電圧より高く設定されるため、比較器７４は第７スイッチＱ７をターン-オフさせる。
【００７３】
図１０は、本発明の第１実施形態を修正した他の形態によるプラズマディスプレイパネルのスキャン駆動装置を示す図面である。
図１０に示すように、本発明の第１実施形態を修正した他の形態によるプラズマディスプレイパネルのスキャン駆動装置は、セットアップ供給部６２とエネルギー回収回路６０との間に接続される第６スイッチＱ６の一端側にグランド電位と連結されたグラウンドスイッチ(Qgd)が追加に連結される。
【００７４】
図１１は、リセット期間に上昇ランプ波形及び下降ランプ波形を生成するための本発明の第１実施形態を修正した他の形態によるスイッチングの動作過程を示すタイミング図である。
図１１に示されるように、グラウンドスイッチは、下降ランプ波形区間で第７スイッチＱ７がオン状態に維持される間にターン-オンされる。グラウンドスイッチがターン-オンされると、第７スイッチの一端の第１ノードn１の電位がグランド電位になって上述した第７スイッチの内圧差をさらに確実に減少できるようになる。
また、グラウンドスイッチ(Qgd)の追加は、スイッチ制御部が使われるスキャン駆動装置にも適用できるし、これを図１２に示すようにする。この場合の動作は図１１と同様である。
【００７５】
<第２実施形態>
図１３は、本発明の第２実施形態によるプラズマディスプレイパネルのスキャン駆動装置を示す図面である。
【００７６】
図１３に示すように、本発明の第２実施形態によるプラズマディスプレイパネルのスキャン駆動装置は、エネルギー回収回路６０と、ドライブ集積回路７２と、セットアップ供給部６２と、セットダウン供給部６７と、第１及び第２負極性スキャン電圧供給部６６、 ６８と、スキャン基準電圧供給部７０と、セットアップ供給部６２とエネルギー回収回路６０との間に接続される第６スイッチＱ６と、タイミングコントローラ(図示せず）とを備える。
【００７７】
本発明の第２実施形態では、スキャン基準電圧供給部７０のスイッチの中で、ドライブ集積回路７２と並列に連結されている第９スイッチＱ９を、図６に示された第１実施形態の第７スイッチのようにタイミングコントローラによって制御する。
【００７８】
図１４は、リセット期間に上昇ランプ波形及び下降ランプ波形を生成するための本発明の第２実施形態によるスイッチングの動作過程を示すタイミング図である。
図１４に示すように、セットダウン期間に第６スイッチＱ６がターン-オフされると共に第１０スイッチＱ１０がターン-オンされる。そして、セットダウン期間の一部期間、例えば、第４ノードn４がおおよそグランド電位ＧＮＤ以上の電圧を有するまで、第９スイッチＱ９はターン-オン状態を維持する。これは図１０にタイミングコントローラ(図示せず）の制御によって行われる。そして、セットダウン期間にエネルギー回収回路６０はＶsの電圧を供給しない。
【００７９】
第１０スイッチＱ１０は、前端に設置された第２可変抵抗ＶＲ２によってチャンネル幅が調節されながら、第４ノードn４の電圧を書き込みスキャン電圧-Ｖw(または、セットダウン電圧源)に所定の勾配で下降させる。このとき、スキャン電極ラインＹ１〜Ｙmに下降ランプ波形が供給される。ここで、第９スイッチＱ９がターン-オン状態を維持するため、第３ノードn３の電圧は第４ノードn４の電圧と同一に維持される。
【００８０】
以後、第４ノードn４の電圧が、ほぼグランド電位ＧＮＤになるとき、タイミングコントローラは第９スイッチＱ９をターン-オフさせる。従って、第３ノードn３はグランド電位ＧＮＤを維持して、第４ノードn４は、スキャン電圧-Ｖw(または、セットダウン電圧源)に下降される。
【００８１】
実際に、リセット期間の間に、セットアップ供給部６２と、セットダウン供給部６７及びタイミングコントローラは、上記のような過程を繰り返しながらスキャン電極ラインＹ１〜Ｙmに上昇ランプ波形及び下降ランプ波形を供給する。一方、本発明では低い内圧を有する第９スイッチＱ９が利用されることができる。言い換えれば、リセット期間の間に第３ノードn３及び第４ノードn４の最大電圧差が−Ｖw(例えば、−７０Ｖ)に設定されるため、低い内圧を有するスイッチを利用して第９スイッチＱ９を構成することができるし、これによって製造費用を節減することができる。
【００８２】
図１５は、本発明の第２実施形態の他の形態によるプラズマディスプレイパネルのスキャン駆動装置を示す図面である。
図１５に示されるように、本発明の第２実施形態の他の形態によるプラズマディスプレイパネルのスキャン駆動装置は、図１０に示されたスキャン駆動装置において、第９スイッチＱ９を制御するためのスイッチ制御部１１４をさらに備える。
【００８３】
前記スイッチ制御部１１４の動作は、上述した第１実施形態の他の形態の場合と同様である。また、スイッチ制御部１１４の詳細構成も、第１実施形態の他の形態に使われるスイッチ制御部の詳細構成の図９の場合と同様である。
【００８４】
図１６は、本発明の第２実施形態を修正した他の形態によるプラズマディスプレイパネルのスキャン駆動装置を示す図面である。
図１６に示されるように、本発明の第１実施形態を修正した他の形態によるプラズマディスプレイパネルのスキャン駆動装置は、セットアップ供給部６２とエネルギー回収回路６０との間に接続される第６スイッチＱ６の一端側にグランド電位と連結されたグラウンドスイッチ(Qgd)が追加に連結される。
【００８５】
図１７は、リセット期間に上昇ランプ波形及び下降ランプ波形を生成するための本発明の第２実施形態を修正した他の形態によるスイッチングの動作過程を示すタイミング図である。
図１７に示すように、グラウンドスイッチは、下降ランプ波形の区間で第９スイッチＱ９がオンで維持される間にターン-オンされる。グラウンドスイッチがターン-オンされると、第９スイッチの一端の第３ノードn３の電位がグランド電位になる。それゆえ、上述した第９スイッチの内圧差をさらに確実に減少できるようになる。
また、グラウンドスイッチ(Qgd)の追加は、スイッチ制御部が使われるスキャン駆動装置にも適用できるし、これを図１８に示すようにする。この場合の動作は図１７と同様である。
【図面の簡単な説明】
【００８６】
【図１】従来の３電極交流面放電型プラズマディスプレイパネルの放電セル構造を示す斜視図である。
【図２】従来のプラズマディスプレイパネルにおける一つのフレームを示す図である。
【図３】一つのフレームに選択的書き込み及び選択的消去方式のサブフィールドが含まれている従来の他の実施形態によるプラズマディスプレイパネルの一つのフレームを示す図である。
【図４】図３に示されたプラズマディスプレイパネルの駆動方法によって駆動波形を供給するためのスキャン駆動装置を示す図である。
【図５】リセット期間に上昇ランプ波形及び下降ランプ波形を生成するための従来のスキャン駆動装置においてスイッチングの動作過程を示すタイミング図である。
【図６】本発明の第１実施形態によるプラズマディスプレイパネルのスキャン駆動装置を示す図である。
【図７】リセット期間に上昇ランプ波形及び下降ランプ波形を生成するための本発明の第１実施形態によるスイッチングの動作過程を示すタイミング図である。
【図８】本発明の第１実施形態の他の形態によるプラズマディスプレイパネルのスキャン駆動装置を示す図である。
【図９】スイッチ制御部の詳細構成を示す図である。
【図１０】本発明の第１実施形態を修正した他の形態によるプラズマディスプレイパネルのスキャン駆動装置を示す図である。
【図１１】リセット期間に上昇ランプ波形及び下降ランプ波形を生成するための本発明の第１実施形態を修正した他の形態によるスイッチングの動作過程を示すタイミング図である。
【図１２】本発明の第１実施形態にスイッチ制御部及びグラウンドスイッチが全て追加されたスキャン駆動装置を示した図である。
【図１３】本発明の第２実施形態によるプラズマディスプレイパネルのスキャン駆動装置を示す図である。
【図１４】リセット期間に上昇ランプ波形及び下降ランプ波形を生成するための本発明の第２実施形態によるスイッチングの動作過程を示すタイミング図である。
【図１５】本発明の第２実施形態の他の形態によるプラズマディスプレイパネルのスキャン駆動装置を示す図である。
【図１６】本発明の第２実施形態を修正した他の形態によるプラズマディスプレイパネルのスキャン駆動装置を示す図である。
【図１７】リセット期間に上昇ランプ波形及び下降ランプ波形を生成するための本発明の第２実施形態を修正した他の形態によるスイッチング動作過程を示すタイミング図である。
【図１８】本発明の第２実施形態にスイッチ制御部及びグラウンドスイッチが全て追加されたスキャン駆動装置を示した図である。
【符号の説明】
【００８７】
１０   上部基板
１８   下部基板
２０Ｘ  アドレス電極
３０Ｙ  スキャン電極
３０Ｚ  サステイン電極
１２Ｙ、１２Ｚ   透明電極
１３Ｙ、１３Ｚ   金属バス電極
１４   上部誘電体層
１６   保護膜
２２   下部誘電体層
２４   隔壁
４０、６０  エネルギー回収回路
４２、６２  セットアップ供給部
４６、６６   第１負極性スキャン電圧供給部
４８、６８   第２負極性スキャン電圧供給部
４７、６７  セットダウン供給部
５０、７０  スキャン基準電圧供給部
５２、７２  ドライブ集積回路
１１４  スイッチ制御部
【図１】
2004310108.tif 000003
【図２】
2004310108.tif 000004
【図３】
2004310108.tif 000005
【図４】
2004310108.tif 000006
【図５】
2004310108.tif 000007
【図６】
2004310108.tif 000008
【図７】
2004310108.tif 000009
【図８】
2004310108.tif 000010
【図９】
2004310108.tif 000011
【図１０】
2004310108.tif 000012
【図１１】
2004310108.tif 000013
【図１２】
2004310108.tif 000014
【図１３】
2004310108.tif 000015
【図１４】
2004310108.tif 000016
【図１５】
2004310108.tif 000017
【図１６】
2004310108.tif 000018
【図１７】
2004310108.tif 000019
【図１８】
2004310108.tif 000020